(57)【要約】      （修正有）【課題】紳士服を着用した時に胸元を飾るべく、気軽に使用でき、オシャレ感を高めることができる装飾具を提供する。【解決手段】ワイシャツの衿の下の部分に２つのボタンを設ける。２つの取り付け金具１の間のチェーン２は、３系列としており、主チェーン２１は、玉３等を連結してなる。玉３は、宝石や真珠、ガラス玉等よりできており、必要に応じてコーティングしたものを用い、中央部に穴を開ける。この玉３の両側には飾り金具５を配置し、玉３、飾り金具５の穴に針金４を通して、両端を、ほぼ円形になるように、曲げ加工する。この曲げ加工部は一部を開いた状態にしておき、隣接する曲げ加工部同志を連結する構造にする。主チェーン２１の中央部には、下げ飾り６をつけるための下げ飾り取り付け金具２３を配置する。下げ飾り６は1本の場合と２本の場合がある。下げ飾り取り付け金具２３は、下げ飾りの数と等しくなる。これで、主チェーン２１が完成する。【選択図】図１
0003182111.tif 000002
【実用新案登録請求の範囲】
【請求項１】
衿を持つシャツにおいて、襟または、襟の近くにつけたボタンに固定するための一対の取り付け金具と、この一対の取り付け金具の間に配置するチェーンとを備えたことを特徴とする男性用装身具。
【請求項２】
チェーンの中央部に、下げ飾りを付けたことを特徴とする請求項１に記載の男性用装身具。
【請求項３】
チェーンは、金属製の鎖、樹脂性の鎖、または/および、装飾部材よりなるユニットを連結した構造であることを特徴とする請求項１〜請求項２のいずれかに記載の男性用装身具
【請求項４】
装飾部材よりなるユニットは、宝石、真珠、金属製品、セラミックス製品、プラスティック製品、木材、竹製品、紙製品、発光部材の球状、あるいは、多面体形状の装飾体である玉と、その内部にあけた穴に金属製の針金が貫通した構造ており、針金の両端部は、他の装飾部材の穴を貫通した金属製の針金、飾り取り付け金具、およびボタンに固定するための取り付け金具に連結可能なように環状とされていることを特徴とする請求項１〜請求項３のいずれかに記載の男性用装身具
【考案の詳細な説明】
【技術分野】
【０００１】
本考案は、ダンスパーティー、結婚式、同窓会等の集まりにおいて、男性の胸元を飾るための装飾具に関するものです。
【背景技術】
【０００２】
これまで、男性、特に年配の日本男性は、身を飾ることに無関心であったといっても良い状態でした。しかし、平均寿命の伸びにより、仕事以外にさける時間も長くなり、自己のセンスをアピールする機会も増加しつつあります。そのため、御自身のオシャレのセンスをアピールすることに違和感がなくなりつつありますが、ネクタイを工夫する程度にとどまっているのが実情です。これまでにない装飾品をと言った漠然とした要望はあるものの、実質的には手付かずの状態でした。
【先行技術文献】
【特許文献】
【０００３】
【特許文献１】実開平６−８４９１０号公報
【考案の概要】
【考案が解決しようとする課題】
【０００４】
これまで、男性、特に年配の日本男性においては、身を飾ることに無関心であったといっても良いよい、あるいは、無関心であるべきとの気分があったと思います。しかし、平均寿命の伸びにより、仕事以外にさける時間も長くなり、自己のセンスをアピールしたいとの希望、機会も増加しつつあるのですが、さて、具体的な手段となると、心細い状態でした。
【課題を解決するための手段】
【０００５】
本考案は、ワイシャツ等の襟を持つシャツにつける男性用装身具に関します。ボタンダウンシャツにおいてネクタイをした状態で、ボタンダウンシャツの襟のボタン間につける鎖状の装身具に関するもので、特に、ダンスパーティーや結婚式等の場合に、華やかな雰囲気を醸し出すものです。
【０００６】
なお、以下におきましては、ワイシャツ等の襟を持つシャツにつける、本考案による男性用装身具をワイシャツジュエリーと記述します。また、ワイシャツジュエリーにおいて、ボタンに取り付けるための金属製や樹脂製の環状の部品を取り付け金具と、金具の間に配置する（取り付け金具間を結ぶ）鎖や宝石類をつなげた部品をチェーン、複数のチェーンを取り付け金具の間に配置する場合には、投影面積がもっとも大きいものを主チェーン、それ以外を副チェーン、チェーンの中央部より下方に垂れさげて配置する部品を下げ飾り、チェーンを構成する宝石等の飾りを玉、金属製の飾りを、飾り金具と表記することとしました。
【０００７】
第１の考案は、衿を持つシャツにおいて、襟または、襟の近くにつけたボタンに固定するための一対の取り付け金具と、この一対の取り付け金具の間に配置するチェーンとを備えた男性用装身具です。
【０００８】
また、第２の考案は、第１の考案において、チェーンの中央部に、下げ飾りを付けた男性用装身具です。
【０００９】
また、第３の考案は、第１の考案、第２の考案のいずれかにおいて、チェーンは、金属製の鎖、樹脂性の鎖、または/および、装飾部材よりなるユニットを連結した構造である男性用装身具です。
【００１０】
また、第４の考案は、第１〜第３の考案のいずれかにおいて、装飾部材よりなるユニットは、宝石、真珠、金属製品、セラミックス製品、プラスティック製品、木材、竹製品、紙製品、発光部材の球状、あるいは、多面体形状の装飾体である玉と、その内部にあけた穴に金属製の針金が貫通した構造ており、針金の両端部は、他の装飾部材の穴を貫通した金属製の針金、飾り取り付け金具、およびボタンに固定するための取り付け金具に連結可能なように環状とされている男性用装身具です。
【考案の効果】
【００１１】
本考案は、男性が紳士服（スーツ）を着用した時、今ひとつオシャレに欠けていると感じて開発したものです。気軽に使用して頂くことがまず一番と考え、紳士物ワイシャツ（ボタンダウン式）に簡単、かつ、脱着自在にできるオシャレであることを第一の目標にしました。
【００１２】
本考案の装飾具は、ワイシャツ（ボタンダウン式）の衿のボタンに取り付け金具を利用して２ケ所に掛けるだけでつけることができる新しい商品です。また、近年の世相に合わせて、夏のクールビズの季節におけるノーネクタイの時でも自由にワンポイントのオシャレ服に変身できる、ワイシャツ（ボタンダウン式）におすすめのアイディア新商品でもあります。
【００１３】
紳士服（スーツ）にネクタイの場合も、１人１人のセンスの問題で上手に着こなす人とそうでもない普通の方がおられます。今回の考案は、通常の方がスーツ、ワイシャツ、ネクタイと一体に着こなしても胸元の中心部のオシャレ度が少ない場合に、ニュールックの新開発のワイシャツジュエリーを身に着けることにより、オシャレ度がアップできることを目的としました。
【００１４】
考案の完成においては、ジュエリーの各パーツの種類、大小の部材の組み合わせ、色の調和、形のバランス等を良くなるように、構成、組立を追及して試行錯誤を繰り返しました。そして、総合的に完成度を高めて行く作業を何度も繰り返し、本考案を完成させました。
【００１５】
本考案のワイシャツジュエリーは、ワンタッチで簡単に取り外しができる便利な新商品です。秘密を守っていただくことを条件にして、ワイシャツ（ボタンダウン式）を付けて２０回以上社交ダンスパーティーにこられた方々にお示ししました。「素敵なアクセサリーをやっていますね」「変わったネックレス付けていますね」「価格は？」と数多くの方々より、お話がありました。これらの励ましは、強い追い風となっています。
【００１６】
また、考案したワイシャツジュエリーについて、やはり、秘密を守っていただくことを条件にして、これまでに、週２〜３回のペースで、横浜市内、東京方面、相模大野、横須賀市内でのダンスパーティーにこられた方々に、お示ししてデータを取りました。毎回５〜６人以上の女性の方々より「毎回素敵なのをやっていますね」とか、「今まで見た事がない」とかの、お話を受けました。「取扱いはどうですか？」とかの感想もいただいています。
【図面の簡単な説明】
【００１７】
【図１】図１は本考案の第１の実施例です。
【図２】図２は本考案の第２の実施例です。
【図３】図３は本考案の第３の実施例です。
【図４】図４は本考案の第４の実施例です。
【図５】図５は本考案の第５実施例です。
【図６】図６は本考案の第６の実施例です。
【図７】図７は本考案の第７の実施例です。
【図８】図８は本考案の第８の実施例です。
【図９】図９は本考案の第９の実施例です。
【図１０】図１０は本考案の第１０の実施例です。
【図１１】図１１は本考案の第１１の実施例です。
【図１２】図１２は本考案の第１２の実施例です。
【図１３】図１３は本考案の第１３の実施例です。
【図１４】図１４は本考案の第１４の実施例です。
【図１５】図１５は本考案の第１５の実施例です。
【図１６】図１６は本考案の第１６の実施例です。
【図１７】図１７は本考案の第１７の実施例です。
【図１８】図１８は本考案の第１８の実施例です。
【図１９】図１９は本考案の第１９の実施例です。
【図２０】図２０は本考案の第２０の実施例です。
【図２１】図２１は本考案の第２１の実施例です。
【図２２】図２２は本考案の第２２の実施例です。
【図２３】図２３は本考案の第２３の実施例です。
【図２４】図２４は本考案の第２４の実施例です。
【図２５】図２５は本考案の第２５の実施例です。
【図２６】図２６は本考案の第２６の実施例です。
【図２７】図２７は本考案の第２７の実施例です。
【図２８】図２８は本考案の第２８の実施例です。
【図２９】図２９は本考案の第２９の実施例です。
【考案を実施するための形態】
【００１８】
本考案は、ワイシャツ等襟を持つシャツにつける男性用装身具に関するものです。
具体的には、ボタンダウンシャツにおいてネクタイをした状態で、ボタンダウンシャツの襟のボタンの間につける鎖状の装身具で、特に、ダンスパーティーや結婚式等において、華やかな雰囲気を醸し出すものです。なお、本考案の男性用装飾具は、通常は、棒ネクタイをした状態でその外側（前面）にくるように装着しますが、蝶ネクタイをした場合や、クールビズでネクタイをしていない場合にも胸元を飾ることにより、その効果を発揮できることはもちろんです。
【実施例１】
【００１９】
図１には、本考案の第１の実施例を示しました。これは社交ダンスのデモンストレーション時に着る燕尾服に装着するためのものです。
この考案においては、本考案のワイシャツジュエリーの取り付け金具１には、凸部を有する円環状の金属部材を用いていますが、円形、楕円形の円環を使用することもできます。
【００２０】
２つの取り付け金具１の間のチェーン２は、3系列としており、主チェーン２１は、玉３等を連結した構造です。後の図２８の実施例２８に標準的な構成の場合のチェーン２の細部を示しています。この図２８に示したユニットを連結してチェーンにします。
【００２１】
玉３は、宝石や真珠、ガラス玉等よりできており、必要に応じてコーティングしたものを用います。中央部に穴を開けています。この玉３の両側には飾り金具５を配置し、玉３、飾り金具５の穴に針金４を通して、両端を、ほぼ円形になるように、曲げ加工します。（以後、このように、玉３、飾り金具５を針金４で1組にしたものをユニットと記します。なお、ユニットには飾り金具５を付けていないものもあります。）  
【００２２】
この曲げ加工部は一部を開いた状態にしておき、隣接する曲げ加工部同志を連結する構造にします。もちろん、複数の玉３や飾り金具５に針金４を通した形としたユニットも可能です。
【００２３】
針金４には適度の加工性と、強さが必要であり、針金は直径が0.1〜15ｍｍの範囲で、引っ張り強さが１００〜６００MPa、降伏強さが５０〜４００MPa、ヤング率が５０〜３００GPa、破断伸びが５％以上のものが適していなす。たとえば、黄銅、軟鋼、スレンレス鋼が使用可能ですが、錆びるものは、メッキなどの表面処理をしたものが適しています。なお、この構造は、チェーン２だけでなく、下げ飾り６にも使用可能です。
【００２４】
このような構造にすることにより、以下のようなメリットがでてきます。
・  宝石、ガラス玉等の玉３は、材質、大きさ、形状、色彩等を自由に選ぶことが可能です。たとえば、チェーンの中央部には、大きな玉３（宝石等）を、取り付け金具１の近くには、小さな玉３（宝石等）を配置すると言った、組み合わせが可能になります。
２．この男性用装飾具は、例えば、ダンスの時のように動きのある場合にも着用することを考えております。中央部に穴を開けて、長い糸を通すネックレス状の場合は、糸が切れますと、宝石や真珠は、床にばらまかれてしまいます。本考案の装飾具は、ひとつの連結部が切れた（外れた）場合も落ちること、宝石類が飛び散ることがありません。
【００２５】
主チェーン２１の中央部には、下げ飾り６をつけるための下げ飾り取り付け金具２３を配置します。下げ飾り６は1本の場合と２本の場合がありますが、本実施例では2本です。下げ飾り取り付け金具２３は、下げ飾りの数と等しくなります。これで、主チェーン２１が完成します。
【００２６】
下げ飾り６もチェーン２と同じように、玉３、針金４等で構成し、必要に応じてかざり金具５を組み込みます。本考案のワイシャツジュエリーを装着した場合の主チェーン２１の中央部は、下げ飾り６を付けた場合はＶ型になります。このＶゾーンの角度は３０〜９０°の範囲になるようにします。３０°未満の場合は、下方に下がりすぎて、美しくありません。９０°を超える場合は、位置が上になりすぎて、これまた、美しい形になりません。
【００２７】
下げ飾り６を付けない場合はチェーン２はＶ字型にならず、U字型になります。この場合は取り付け金具１の間の距離に対して、取り付け金具１をとりつける位置（ボタンの位置）を結んだ直線の中央とチェーンが形作るU字の最下部（U字の底の部分）との距離は、０．５〜２倍になるように定めます。０．５倍未満の場合は、上方になりすぎて美しくありません。２倍を超える場合は、位置が下になりすぎて、これまた、美しい形になりません。
【００２８】
なお、複数の主チェーン２１を持つ場合は、上記した形状、位置の上下限は主チェーン２１についてのものであり、副チェーン２２については、制限値の上下限はいずれも５０％増しまで許容します。なお、主チェーン２１が複数ある場合は、それらの平均的な位置が上記した範囲になるように定めます。副チェーン２２は多くの場合に、シンプルな鎖のみの構造なります。
【００２９】
本考案のワイシャツジュエリーは、下げ飾り６を付けない状態、および付けた状態で構成を考えながら、どの位置に何（どのようなパーツ）を配置するかを、一番輝きのあるジュエリーを主体において考えて、さらに角度も考慮して、いかに、ジュエリーの美を吹き込むかを、本来のオシャレの美学と考えたいます。
以上、図示したように、このワイシャツジュエリーはネクタイをする場合は、ネクタイの上（前側）になるようにつけますが、クールビズ時の場合にように、よにネクタイをつけていない場合にも、オシャレを演出する効果は、さらに大きくなることは、言うまでもありません。
【００３０】
襟ボタンにボタンないシャツにつける場合は、装着するためのボタンをつけて本考案のワイシャツジュエリーを装着します。ボタンをつける位置は、襟の外側、内側、あるいは、シャツの本体上部であっても良く、たとえば、ウィングカラーのワイシャツにおいては蝶ネクタイに隠れる位置につけてもかまいません。
【００３１】
取り付け位置は、横方向が中央のワイシャツボタンから下に降りる線より、両側に4〜５cm離れた位置で、縦方向は、中央のワイシャツボタンの下端の位置が取り付けるボタンの上端になるようにします。
次に、いろいろな場面での、最適なワイシャツ・ジュエリーについて記述します。
【実施例２】
【００３２】
図２には、本考案のワイシャツジュエリーをボタンダウンシャツにつけた場合の外観を示しました。ネクタイをした上にネクタイの前にくるように装着します。
【実施例３】
【００３３】
図３は、本実用新案の第３の実施例を示しました。２つの取り付け金具１の間のチェーン２は、２系列としており、主チェーン２１は、玉３等を連結した構造です。副チェーン２２は鎖です。副チェーン２２の中央部には下げ飾り６をつけています。
【実施例４】
【００３４】
図４は、本実用新案の第４の実施例を示しました。この考案においてもチェーン２は、２系列としており、主チェーン２１は、玉３等を連結した構造ですが、飾り金具５はつけていません。
【実施例５】
【００３５】
図５は、本実用新案の第５実施例を示しました。この考案においては、チェーン２は、１系列としており、玉３等を連結した構造です。
【実施例６】
【００３６】
図６は、本実用新案の第６実施例を示しました。この考案においても、チェーン２は、１系列としており、鎖ですが、中央部に玉３の下げ飾り６をつけています。
【実施例７】
【００３７】
図７は社交ダンスのボタンダウンワイシ着用時向けのワイシャツジュエリーです。チェーンを２連としており、主チェーン、副チェーンともには鎖にしていますが、主チェーンの両端部には真珠の玉３をつけています。
【実施例８】
【００３８】
図８も社交ダンスにおけるボタンダウンワイシ着用時向けのワイシャツジュエリーです。主チェーンは、ユニットを連ねたもの、副チェーンは鎖です。副チェーンの中央部には、下げ飾りの真珠をつけています。
【実施例９】
【００３９】
図９も社交ダンスにおけるボタンダウンワイシ着用時向けのワイシャツジュエリーです。主チェーンは、ユニットを連ねたもの、副チェーンは鎖です。副チェーンの中央部には、下げ飾りの真珠をつけています。主チェーンは左右非対称にしています。
【実施例１０】
【００４０】
図１０も社交ダンスにおけるボタンダウンワイシ着用時向けのワイシャツジュエリーです。主チェーンは、ユニットを連ねたもの、副チェーンは鎖です。副チェーンの中央部には、下げ飾りの真珠をつけています。主チェーンの中央部には、大きな玉を配置しています。
【実施例１１】
【００４１】
図１１も社交ダンスにおけるボタンダウンワイシ着用時向けのワイシャツジュエリーです。主チェーンは、ユニットを連ねたもの、副チェーンは鎖です。副チェーンの中央部には、下げ飾りの真珠をつけています。
【実施例１２】
【００４２】
図１２も社交ダンスにおけるボタンダウンワイシ着用時向けのワイシャツジュエリーです。主チェーンは、ユニットを連ねたもの、副チェーンは鎖です。主チェーンは左右非対称にしています。
【実施例１３】
【００４３】
図１３も社交ダンスにおけるボタンダウンワイシ着用時向けのワイシャツジュエリーです。主チェーンは、ユニットを連ねたもの、副チェーンは鎖です。
【実施例１４】
【００４４】
図１４は社交ダンスのエンビ服着用時向けのワイシャツジュエリーです。華やかさを強調するために、チェーンを３としており、主チェーンはユニットを連結したもの、第１副チェーン、第２副チェーンは鎖にしています。主チェーンの中央部には、下げ飾りをつけています。
【実施例１５】
【００４５】
図１５は社交ダンスのエンビ服着用時向けのワイシャツジュエリーです。チェーンを３としており、主チェーンはユニットを連結したもの、第１副チェーン、第２副チェーンは鎖にしています。主チェーンの中央部、および、第２副チェーンの中央部には、下げ飾りをつけています。
【実施例１６】
【００４６】
図１６は社交ダンスのエンビ服着用時向けのワイシャツジュエリーです。チェーンを３連としており、主チェーンはユニットを連結したもの、第１副チェーン、第２副チェーンは鎖にしています。主チェーンの中央部に２つ、および、第1副チェーンの中央部には、下げ飾りをつけています。
【実施例１７】
【００４７】
図１７も、社交ダンスのエンビ服着用時向けのワイシャツジュエリーです。チェーンを３連としており、主チェーンはユニットを連結したもの、第１副チェーン、第２副チェーンは鎖にしています。主チェーンの中央部に２つ、下げ飾りをつけています。
【実施例１８】
【００４８】
図１８は結婚式での新郎用向けのワイシャツジュエリーです。華やかさを演出するために、チェーンを３連としており、主チェーンはユニットを連結したもの、第１副チェーン、第２副チェーンは鎖にしています。主チェーンの中央部には、下げ飾りを２つ、第1副チェーンの中央部には、下げ飾りをつけています。
【実施例１９】
【００４９】
図１９は結婚式での新郎用向けのワイシャツジュエリーです。実施例１４と同様に、主チェーンはユニットを連結したもの、第１副チェーン、第２副チェーンは鎖にしています。主チェーンの中央部には、下げ飾りを２つ、第1副チェーンの中央部には、下げ飾りをつけています。
【実施例２０】
【００５０】
図２０は結婚式での新郎用向けのワイシャツジュエリーです。実施例１４と同様に、主チェーンはユニットを連結したもの、第１副チェーン、第２副チェーンは鎖にしています。主チェーンの中央部には、下げ飾りを１つ、第２副チェーンの中央部にも、真珠の下げ飾りをつけています。
【実施例２１】
【００５１】
図２１は結婚式での新郎用向けのワイシャツジュエリーです。実施例１４と同様に、主チェーンはユニットを連結したもの、第１副チェーン、第２副チェーンは鎖にしています。主チェーンの中央部には、下げ飾りを２つ、第1副チェーンの中央部にも、下げ飾りをつけています。
【実施例２２】
【００５２】
図２２はクールビズにおけるボタンダウンワイシ着用時向けのワイシャツジュエリーです。さわやかさを求めています。そのため、チェーンは1連、または、２連としています。主チェーン、副チェーンともに鎖にしています。主チェーンの中央部には、下げ飾りを１つつけています。
【実施例２３】
【００５３】
図２３もクールビズにおけるボタンダウンワイシ着用時向けのワイシャツジュエリーです。主チェーン、副チェーンともに鎖にしています。主チェーンの中央部には、真珠の下げ飾りを１つつけています。
【実施例２４】
【００５４】
図２４もクールビズにおけるボタンダウンワイシ着用時向けのワイシャツジュエリーです。チェーンはユニットを連結したものを1連で、下げ飾りを１つつけていません。
【実施例２５】
【００５５】
図２５もクールビズにおけるボタンダウンワイシ着用時向けのワイシャツジュエリーです。チェーンはユニットを連結したものを1連で、下げ飾りを１つつけていません。チェーンは左右非対称にしています。
【実施例２６】
【００５６】
図２６には、チェーン２を構成しているユニットの拡大写真です。玉（ガラス）３の両端に飾り金具５を配置し、3つの部品に針金４を通して両端を曲げ加工をおこなっており、これがひとつのユニットです。この曲げ加工部分を連結してチェーン２を形成します。この例では、「飾り金具―玉―飾り金具」がユニットになっていますが、「飾り金具―玉―飾り金具―玉―飾り金具」等に変化させてもかまいません。
【実施例２７】
【００５７】
図２７も、チェーン２を構成しているユニットの拡大写真です。玉（ガラス、真珠）３の両端に飾り金具５がある例、玉（真珠）５のみで飾り金具のない例を示しました。
【実施例２８】
【００５８】
図２８は取り付け金具１の近くを示しました。この例は主チェーン２１はユニットを連結したもの、第１副チェーン２２１、第２副チェーン２２２は鎖にしています。
【実施例２９】
【００５９】
図２９は主チェーン２１の中央部を示しました。２つの下げ飾り６にはユニットを連結したものを用いました。
【産業上の利用可能性】
【００６０】
本発明は女性を主たる対象としてきた宝飾業に、新たな市場を提供するものです。今後の産業発展に寄与する所が大きいと思っております。
【符号の説明】
【００６１】
１  取り付け金具
２  チェーン
２１  主ュチェーン
２２  副チェーン
２２１  第１副チェーン
２２２  第２副チェーン
２３  飾り取り付け金具
３  玉
４  針金
５  かざり金具
６  下げ飾り
【図１】
0003182111.tif 000003
【図２】
0003182111.tif 000004
【図３】
0003182111.tif 000005
【図４】
0003182111.tif 000006
【図５】
0003182111.tif 000007
【図６】
0003182111.tif 000008
【図７】
0003182111.tif 000009
【図８】
0003182111.tif 000010
【図９】
0003182111.tif 000011
【図１０】
0003182111.tif 000012
【図１１】
0003182111.tif 000013
【図１２】
0003182111.tif 000014
【図１３】
0003182111.tif 000015
【図１４】
0003182111.tif 000016
【図１５】
0003182111.tif 000017
【図１６】
0003182111.tif 000018
【図１７】
0003182111.tif 000019
【図１８】
0003182111.tif 000020
【図１９】
0003182111.tif 000021
【図２０】
0003182111.tif 000022
【図２１】
0003182111.tif 000023
【図２２】
0003182111.tif 000024
【図２３】
0003182111.tif 000025
【図２４】
0003182111.tif 000026
【図２５】
0003182111.tif 000027
【図２６】
0003182111.tif 000028
【図２７】
0003182111.tif 000029
【図２８】
0003182111.tif 000030
【図２９】
0003182111.tif 000031